(57)【要約】      （修正有）【課題】電磁効果により作動力を発生し、長時間、安全に使用できる射撃時の銃のリコイルシミュレート装置を提供する。【解決手段】リコイルシミュレート装置は、第１収容溝３０１を具えた本体３０、第１収容溝内に設置されるコイルセット３１、及びアクチューエータ装置３２を包含し、コイルセットは筒体３１１とコイルユニット３１２を包含し、筒体は第２収容溝３１１０を具え、アクチューエータ装置は第２収容溝内に設置される。アクチューエータ装置は連接棒ユニット３２１、弾性ユニット３２２、極性発生ユニット３２３、及びハンマーユニット３２４を包含し、連接棒ユニットは第２収容溝内に収容され、第１端と第２端を具え、弾性ユニットは第１端に嵌合され、極性発生ユニットは第２端に設置される。ハンマーユニットは第２端に設置され、コイルユニットに通電されて電磁力が発生し、これにより連接棒ユニットが筒体内を移動し射撃時のリコイルをシミュレートする。【選択図】図３
0003192565.tif 000002
【実用新案登録請求の範囲】
【請求項１】
リコイルシミュレート装置において、
本体であって、第１収容溝を具え、該第１収容溝は該本体を貫通する、上記本体と、
コイルセットであって、該第１収容溝内に設置され、筒体とコイルユニットを具え、該コイルユニットは該筒体の表面に繞設され、該筒体は第２収容溝を具え、該第２収容溝は該筒体を貫通する、上記コイルセットと、
該アクチューエータ装置は該第２収容溝内に設置され、且つ該アクチューエータ装置は、
連接棒ユニットであって、該コイルセットの第２収容溝内に収容され、並びに第１端と第２端を具える、上記連接棒ユニットと、
弾性ユニットであって、該連接棒ユニットの第１端に嵌合される、上記弾性ユニットと、
極性発生ユニットであって、その一端が該連接棒ユニットの第２端に接続され、該極性発生ユニットは貫通孔を具える、上記極性発生ユニットと、
ハンマーユニットであって、該連接棒ユニットの第２端に設置され、並びに該極性発生ユニットの他端に接続され、該コイルユニットに通電されることで発生した電磁力により力を該連接棒ユニットに加えて該連接棒ユニットを該筒体内で移動させ、それにより該ハンマーユニットを衝撃し、これにより射撃時のリコイルをシミュレートする、上記ハンマーユニットと、
を包含する、上記アクチューエータ装置と、
を包含することを特徴とする、リコイルシミュレート装置。
【請求項２】
請求項１記載のリコイルシミュレート装置において、該本体の一端に結合部を具えることを特徴とする、リコイルシミュレート装置。
【請求項３】
請求項２記載のリコイルシミュレート装置において、該本体は該結合部により延伸ロッドに固定されることを特徴とする、リコイルシミュレート装置。
【請求項４】
請求項１記載のリコイルシミュレート装置において、該連接棒ユニットは磁性物質により形成されていることを特徴とする、リコイルシミュレート装置。
【請求項５】
請求項１記載のリコイルシミュレート装置において、該連接棒ユニットは該コイルセットに通電後に、該コイルユニットにあって該電磁力を発生することを特徴とする、リコイルシミュレート装置。
【考案の詳細な説明】
【技術分野】
【０００１】
本考案は一種のシミュレート装置に係り、さらに詳しくは、単方向インパクト発生式リコイルシミュレート装置に関する。
【背景技術】
【０００２】
科学技術が不断に進歩し、人々の映像、オーディオ、及び感覚に対する要求が不断に高まり、使用者の嗜好を満足させるため、各種の製品技術は、使用者の要求を満足させる方向に発展しており、映像フレームの３Ｄ効果、音声のリアルな臨場感、及び触覚の真実感もまた、使用者の要求を満足させるために、不断に研究が進められて発展している。
【０００３】
図１を参照されたい。それは玩具銃のリコイル振動装置の表示図である。図示されるように、該装置は、ピストンユニット１０とウエイトユニット１１を包含する。そのうち、該ピストンユニット１０及び該ウエイトユニット１１は、それぞれ銃身の両端に設置され、ピストンユニット１０が発生する往復動作を利用し、ウエイトユニット１１を駆動して銃身中を移動させ、それによりリコイル振動を銃身本体に伝達する。このようなリコイルシミュレート方式は、該ピストンユニット１０の一端に、スプリング１２を駆動及び緩衝のために設置しなければならず、長時間使用すると、該スプリングの金属性質の疲労により、該リコイルシミュレートの真実性を失ってしまう。
【０００４】
機械性質の疲労によりシミュレートの真実性の不足の状況が形成されるのを防止するため、もとのスプリングを駆動動力とする方式から、気体をリコイルシミュレートに使用する方式としたものが、図２に示される。それは、銃のリコイルシミュレート装置の表示図であり、図示されるように、該装置は、容器２０、スライドブロック２１、コントロールバルブ２２及びガスソース２３を包含する。該容器２０内には該スライドブロック２１を設置する空間があり、該コントロールバルブ２２はガス経路２１１により容器２０及びガスソース２３に接続され、ガスにより容器２０内のスライドブロック２１が押動され移動し、該スライドブロック２１が移動すると同時に、反作用力が発生して容器２０を反対方向に移動させ、銃砲を射撃する時に発生するリコイルを発生する。しかし、駆動源とされるガスが、圧縮方式でスチールボンベ内に保存されているため、使用回数はスチールボンベの大きさに制限され、長時間の使用はできず、且つスチールボンベ内のガス圧力が減衰すると、リコイルが減衰し反応時間が延長される現象が発生し、且つ使用時間を増加するため、外付け方式でガスを供給すると、その体積と重量は射撃主に余分の携行の負担をもたらし、自由な運動に不便であり、射撃速度は本物の銃の射撃速度を達成しにくく、及びもともとの本物の銃の外形設計より離脱してしまうという欠点がある。しかし、ガス減衰により発生するリコイル減衰を防止し、及び反応時間延長の現象の発生を防止するため、空砲弾方式に改めてリコイルを発生するならば、空砲弾内で発射薬を燃焼爆発させることでリコイルを発生させ、及び振動でトリガしてレーザービームを発射する必要があり、その有する危険性は初心者が使用するには適さないものとなる。
【考案の概要】
【考案が解決しようとする課題】
【０００５】
上述の欠点を鑑み、本考案の主要な目的は、一種のリコイルシミュレート装置を提供することにあり、電磁効果により作動力を発生し、射撃時の銃のリコイルをシミュレートする目的を達成する。
【課題を解決するための手段】
【０００６】
上述の目的を達成するため、本考案は一種のリコイルシミュレート装置を提供し、それは、第１収容溝を具えた本体、該第１収容溝内に設置されるコイルセット、及びアクチューエータ装置を包含し、該コイルセットは筒体とコイルユニットを包含し、且つ該筒体は第２収容溝を具え、該コイルユニットは該筒体表面に繞設され、該アクチューエータ装置は該第２収容溝内に設置され、且つ該アクチューエータ装置は連接棒ユニット、弾性ユニット、極性発生ユニット、及びハンマーユニットを包含する。そのうち、該連接棒ユニットは該コイルセットの第２収容溝内に収容され、並びに第１端と第２端を具え、該弾性ユニットは該連接棒ユニットの第１端に嵌合され、該極性発生ユニットは該連接棒ユニットの第２端に設置され、該ハンマーユニットは該連接棒ユニットの第２端に設置され、該コイルユニットに通電されることで電磁力が発生し、該電磁力により力を該連接棒ユニットに加えて該連接棒ユニットを該筒体内で移動させ、それにより該ハンマーユニットを衝撃し、これにより射撃時のリコイルをシミュレートする目的を達成する。
【考案の効果】
【０００７】
本考案は、一種のリコイルシミュレート装置を提供し、それは電磁効果により作動力を発生し、射撃時の銃のリコイルをシミュレートする目的を達成する。
【図面の簡単な説明】
【０００８】
【図１】周知の玩具銃のリコイル振動装置の表示図である。
【図２】周知の銃砲リコイルシミュレート装置の表示図である。
【図３】本考案のリコイルシミュレート装置の表示図である。
【図４】本考案のリコイルシミュレート装置のもう一つの実施態様の表示図である。
【考案を実施するための形態】
【０００９】
以下に、特定の具体的実施例により、本考案の実施方式を説明し、この技術に習熟した者は、この明細書に提示された内容から本考案のその他の長所及び作用効果を了解できる。
【００１０】
図３を参照されたい。それは本考案のリコイルシミュレート装置の表示図であり、図示されるように、この装置は以下を包含する。
【００１１】
本体３０。該本体３０には第１収容溝３０１が設けられ、該第１収容溝３０１は該本体３０を貫通する貫通孔とされる。
【００１２】
コイルセット３１。該コイルセット３１は該第１収容溝３０１内に設置され、且つ該コイルセット３１は筒体３１１及びコイルユニット３１２を具え、該コイルユニット３１２は該筒体３１１の表面に繞設され、該筒体３１１に第２収容溝３１１０が設けられ、該第２収容溝３１１０は該筒体３１１の貫通孔を貫通する。
【００１３】
アクチューエータ装置３２。該アクチューエータ装置３２は該コイルセット３１の第２収容溝３１１０内に設置され、該アクチューエータ装置３２は連接棒ユニット３２１、弾性ユニット３２２、極性発生ユニット３２３及びハンマーユニット３２４を包含する。そのうち、該連接棒ユニット３２１は該筒体３１１の貫通孔内に設置され、並びに第１端及び第２端を具え、且つ該連接棒ユニット３２１は磁性材料で製造され、該磁性材料は、炭素鋼材、鉄、珪素鋼、コバルト、ニッケル等の金属材料を包含するが、使用できる磁性材料はこれらに限定されるわけではない。
【００１４】
該連接棒ユニット３２１の第１端は該弾性ユニット３２２に嵌合され、該弾性ユニット３２２は、スプリングとされ、該連接棒ユニット３２１の第２端は、該筒体３１１の貫通孔を貫通した後に該極性発生ユニット３２３の一端に接続され、該極性発生ユニット３２３の他端は、該ハンマーユニット３２４の一端に接続され、且つ該極性発生ユニット３２３に貫通孔が設けられている。
【００１５】
本考案はパルス電流を該コイルユニット３１２に流して、該連接棒ユニット３２１に電磁力を発生させ、該コイルセット３１に通電させた後、該コイルユニット３１２により該電磁力を発生し、並びに該電磁力を該連接棒ユニット３２１に印加し、該連接棒ユニット３２１を該筒体３１１内で移動させ、これにより、該アクチューエータ装置３２に衝撃動作を発生させる。パルス電流が停止した後（すなわち、該コイルセット３１の通電を停止した後）、該コイルセット３１は該電磁力を発生せず、すなわち、該連接棒ユニット３２１は弾性ユニット３２２により開始位置に戻され、こうしてリコイルシミュレートの目的を達成する。
【００１６】
図４を参照されたい。それは本考案のリコイルシミュレート装置のもう一つの実施態様であり、図示されるように、該本体４０の一端は、結合部４０ａを具え、使用上、該結合部４０ａにより延伸ロッド４１に固定され、こうして、該リコイルシミュレート装置の使用の多様性を増加している。
【符号の説明】
【００１７】
１０  ピストンユニット
１１  ウエイトユニット
１２  スプリング
２０  容器
２１  スライドブロック
２２  コントロールバルブ
２３  ガスソース
２１１  ガス経路
３０  本体
３０１  第１収容溝
３１  コイルセット
３２  アクチューエータ装置
３１１  筒体
３１１０  第２収容溝
３１２  コイルユニット
３２１  連接棒ユニット
３２２  弾性ユニット
３２３  極性発生ユニット
３２４  ハンマーユニット
４０  本体
４１  延伸ロッド
４０ａ  結合部
【図１】
0003192565.tif 000003
【図２】
0003192565.tif 000004
【図３】
0003192565.tif 000005
【図４】
0003192565.tif 000006